(57)【要約】【課題】本発明は、バーコードの読み取りや無線タグの読み書きが可能な複合型読取書込装置であって、作業手順の変更や操作を容易にし、作業者の生産性を向上した複合型読取書込装置を提供することを目的とする。【解決手段】光学情報の読み取りと無線タグの読み書きの順序と前記手順に関する情報を有する識別情報とを記憶する記憶手段と、前記光学情報あるいは無線タグから得た識別情報と前記記憶手段に格納された前記順序に関する情報を有する前記識別情報とを比較する判定部を有し、一致した識別情報を有する順序を読み出し、この順序に従って光学情報読取機能と無線による非接触式の読取書込機能とを切り替える制御部を備える。【選択図】  図２
2004246555.tif 000002
【特許請求の範囲】
【請求項１】
光学情報読取機能と無線による非接触式の読取書込機能とを備えた複合型読取書込装置において、前記複合型読取書込装置は、無線タグ読み書き手段と、光学情報の読み取りや無線タグの読み書きを行う順序とこの順序に関連付けられた識別情報とを格納した記憶手段と、前記順序に関連付けられた識別情報を有する光学情報を読み取る光学情報読取手段と、前記光学情報から得た識別情報と前記記憶手段に格納されている識別情報とを比較する判定部を有し、前記判定部により、光学情報から得た識別情報が前記記憶手段に格納されているどの識別情報と一致するかを判定し、一致した識別情報に関連付けられた順序を読み出し、この順序に従って光学情報読取機能と無線による非接触式の読取書込機能とを切り替える複合型読取書込装置。
【請求項２】
光学情報読取機能と無線による非接触式の読取書込機能とを備えた複合型読取書込装置において、前記複合型読取書込装置は、光学情報を読み取るまたは無線タグを読み書きするといった作業情報を表示する表示手段と、無線タグ読み書き手段と、光学情報の読み取りや無線タグの読み書きを行う順序とこの順序に関連付けられた識別情報とを格納した記憶手段と、前記順序に関連付けられた識別情報を有する光学情報を読み取る光学情報読取手段と、前記光学情報から得た識別情報と前記記憶手段に格納されている識別情報とを比較する判定部を有し、前記判定部により、光学情報から得た識別情報が前記記憶手段に格納されているどの識別情報と一致するかを判定し、一致した識別情報に関連付けられた順序を読み出し、この順序に従って光学情報読取機能と無線による非接触式の読取書込機能とを切り替え、かつ、光学情報を読み取るまたは無線タグを読み書きするといった作業情報を前記表示手段に表示する複合型読取書込装置。
【請求項３】
光学情報読取機能と無線による非接触式の読取書込機能とを備えた複合型読取書込装置において、前記複合型読取書込装置は、光学情報を読み取る光学情報読取手段と、光学情報の読み取りや無線タグの読み書きを行う順序とこの順序に関連付けられた識別情報とを有する無線タグを読み取り可能な無線タグ読み書き手段と、前記無線タグを読み取ることにより得た前記手順とこの手順に関連付けられた識別情報とを記憶する記憶手段と、前記無線タグから得た識別情報と前記記憶手段に記憶されている識別情報とを比較する判定部を有し、前記判定部により前記記憶手段に記憶された識別情報と前記無線タグから得た識別情報とが一致するか否かを判定し、一致する場合には一致した識別情報に関連付けられた順序を読み出し、一致しない場合には無線タグから得た光学情報の読み取りや無線タグの読み書きを行う順序とこの順序に関連付けられた識別情報とを前記記憶手段に記憶し、この手順に従って光学情報読取機能や無線による非接触式の読取書込機能とを切り替える複合型読取書込装置。
【請求項４】
光学情報読取機能と無線による非接触式の読取書込機能とを備えた複合型読取書込装置において、前記複合型読取書込装置は、光学情報を読み取るまたは無線タグを読み書きするといった作業情報を表示する表示手段と、光学情報を読み取る光学情報読取手段と、光学情報の読み取りや無線タグの読み書きを行う順序とこの順序に関連付けられた識別情報とを有する無線タグを読み取り可能な無線タグ読み書き手段と、前記無線タグを読み取ることにより得た前記手順とこの手順に関連付けられた識別情報とを記憶する記憶手段と、前記無線タグから得た識別情報と前記記憶手段に記憶されている識別情報とを比較する判定部を有し、前記判定部により前記記憶手段に記憶された識別情報と無線タグから得た識別情報とが一致するか否かを判定し、一致する場合には一致した識別情報に関連付けられた順序を読み出し、一致しない場合には無線タグから得た光学情報の読み取りや無線タグの読み書きを行う順序とこの順序に関連付けられた識別情報とを前記記憶手段に記憶し、この手順に従って光学情報読取機能や無線による非接触式の読取書込機能とを切り替え、かつ、光学情報を読み取るまたは無線タグを読み書きするといった作業情報を前記表示手段に表示する複合型読取書込装置。
【請求項５】
作業の終了を入力する入力手段を有し、作業の終了が入力されるまでは読み出された手順に従って処理を行う請求項１または２記載の複合型読取書込装置。
【請求項６】
作業の開始を入力する入力手段を有し、作業の開始が入力されることにより手順の読み出しが可能となる請求項１または２記載の複合型読取書込装置。
【発明の詳細な説明】
【０００１】
【発明の属する技術分野】
本発明は、光学情報読取機能と無線による非接触式の読取書込機能とを備えた複合型読取書込装置に関するものである。
【０００２】
【従来の技術】
近年、商品管理システム、生産管理システム、工程管理システムにおいて、物や人の識別と管理を自動化することを目的とし、識別対象に識別用データまたは管理用データを記録可能なデータキャリアを取り付け、必要に応じて読取書込装置を使ってそのデータを読み取りまたは書き込みを行う管理システムが多く利用されている。
【０００３】
データキャリアには、データをラベル化して識別対象に取り付けるバーコードや、データを内蔵メモリに格納し電磁波を介して読取書込装置と非接触で交信可能な無線タグなどに大別される。バーコードは、メディアコストの安さや物品に直接印刷できる使い勝手の良さから広く普及している。対して無線タグは、データの書換えが可能で、内蔵メモリに格納できるデータサイズが大きく、外周を覆うことで水や油、高温や粉塵などの過酷な環境での利用に適している。
【０００４】
従来、このバーコードの読取機能および無線タグの読取書込機能を備える複合型読取書込装置が知られている（例えば特許文献１参照）。
【０００５】
図６は上記従来の複合型読取書込装置の概略構成を示すブロック図で、複合型読取書込装置１００は、光学情報読取装置１０１と、無線タグ読取書込装置１０２と、前記光学情報読取装置１０１および前記無線タグ読取装置１０２を制御する制御装置１０３を備えた構成である。前記制御装置１０３は、前記光学情報読取装置１０１を制御することでバーコードにラベル化されたデータを読み取り、続いて前記無線タグ読取書込装置１０２を制御することで無線タグに該データを書き込むことを可能とする。
【０００６】
なお、前記制御装置１０３が制御対象を切り替える処理は、所定の作業手順を制御装置が実行するアプリケーションプログラムの命令として予め記述するか、あるいはユーザが手動で切り替えていた。
【０００７】
【特許文献１】
特開平１０−４０３２９号公報
【０００８】
【発明が解決しようとする課題】
しかしながら、近年の管理システムにおける識別対象の多品種少量化や処理内容の複雑化に伴って、作業手順が頻繁に変更されることから、その度に複合型読取書込装置のアプリケーションプログラムを変更する必要があり、作業者の生産性が低下する。また、ユーザが手動で光学情報読取装置と無線タグ読取書込装置を切り替える場合、誤操作を起こしやすいといった課題を有していた。
【０００９】
よって、本発明は、バーコードの読み取りや無線タグの読み書きが可能な複合型読取書込装置であって、作業手順の変更や操作を容易にし、作業者の生産性を向上した複合型読取書込装置を提供することを目的とする。
【００１０】
【課題を解決するための手段】
本発明の光学情報読取機能と無線による非接触式の読取書込機能とを備えた複合型読取書込装置は、上記課題を解決するために、光学情報の読み取りや無線タグの読み書きを行う順序とこの手順に関連付けられた識別情報とを記憶する記憶手段と、前記光学情報あるいは無線タグから得た識別情報と前記記憶手段に格納されている識別情報とを比較する判定部を有し、一致した識別情報を有する順序を読み出し、この順序に従って光学情報読取機能と無線による非接触式の読取書込機能とを切り替えるものである。
【００１１】
そして、この構成により、管理システムにおける作業手順が頻繁に変更される場合でも、複合型読取書込装置のアプリケーションプログラムの変更なしで作業手順の変更が可能で、この手順に従って光学情報読取機能と無線による非接触式の読取書込機能とを切り替えることでユーザの誤操作回数を低減でき、作業の生産性を向上するものである。
【００１２】
【発明の実施の形態】
以下、本発明の実施の形態について、図１から図５を用いて説明する。
【００１３】
（実施の形態１）
図１は、本発明における複合型読取書込装置の外観図で、図１（ａ）はその側面図、図１（ｂ）はその上面図を示すものである。図１において、２０１は複合型読取書込装置のケース、２０２はバーコードからの反射光を取り込むためにケース２０１の前面に形成された孔部であり、ケース２０１上面において、２０３は本体電源の投入または遮断信号を入力するための電源キー、２０４は光学情報の読取作業または無線タグの読取書込作業の開始信号を入力するためのトリガキー、２０５は作業の決定信号を入力するための決定キー、２０６は光学情報の読取作業または無線タグの読取書込作業で得た情報について数値などの追加情報を入力するためのテンキー、２０７は作業内容に応じて自由に機能を割付可能なファンクションキー、２０８は光学情報を読み取るまたは無線タグを読み書きするといった作業情報を表示するための液晶ディスプレイである。
【００１４】
なお、無線タグと非接触通信を行うため、棒状のフェライトにアンテナ線を巻きつけたアンテナヘッド（図示せず）を孔部２０２の近傍に内蔵している。
【００１５】
図２は、本発明における複合型読取書込装置のブロック図で、複合型読取書込装置３００は、バーコードのデータを読み取る光学情報読取装置３２０と、無線タグのデータを読み取りまたは書き込みする無線タグ読取書込装置３３０と、前記光学情報読取装置３２０と前記無線タグ３３０を制御する制御装置３１０とを基本構成とする。
【００１６】
制御装置３１０において、３１１は複合型読取書込装置３００を構成する装置の制御や演算処理を行うための中央処理装置、３１２はキー２０３から２０７のようにユーザが作業を指示するための各種信号を受けるための入力装置、３１３は液晶ディスプレイ２０８のように中央処理装置３１１の処理結果をユーザにわかりやすく提示するための出力装置、３１４は各種情報を格納するための記憶装置を示す。
【００１７】
光学情報読取装置３２０において、３２１はバーコード３４０からの反射光を結像する結像部、３２２は結像部での結像結果を光の強弱レベルで電荷信号に変換して取り込む撮像素子、３２３は撮像素子で得たアナログ信号をデジタル信号に変換するＡＤ変換器を示す。
【００１８】
以上のように構成された光学情報読取装置３２０について、バーコード３４０に格納されたデータを読み取るときの動作について説明する。
【００１９】
光学情報読取装置３２０は、制御装置３１０の入力装置３１２の起動信号に基づいて起動し、結像部３２１がバーコード３４０からの反射光を結像した結果を撮像素子３２２により光の強弱レベルでアナログの電荷信号に変換し、ＡＤ変換器３２３が、得られたアナログ信号をデジタル信号に変換して中央処理装置３１１に出力する。
【００２０】
さらに、中央処理装置３１１が、前記デジタル信号をデコードすることでバーコードに格納されたデータを読み取る。
【００２１】
また、無線タグ読取書込装置３３０において、３３１は無線タグ３５０との通信インターフェースとしてのアンテナヘッド、３３２は制御装置３１０と無線タグ３５０との間でデータの変調または復調を行うための変調復調器で構成される。
【００２２】
以上のように構成された無線タグ読取書込装置３３０について、無線タグ３５０のメモリ３５１に格納されたデータを読み取るときの動作について説明する。
【００２３】
無線タグ読取書込装置３３０は、制御装置３１０の入力装置３１２の起動信号に基づいて起動し、アンテナヘッド３３１に数１００ｋＨｚの信号電流を通電することで発生する誘導電磁界により、アンテナヘッド３３１と対向する無線タグ３５０のアンテナ３５３を介して、無線タグ３５０のＣＰＵ３５２へ駆動に必要な電力を与える。そして、この電力を与えると同時に中央処理装置３１１が変調復調器３３２を制御して、変調したデータを信号電流にのせることで誘導電磁界はデータ伝送の媒介として使用できる。よって、無線タグ３５０のＣＰＵ３５２は、無線タグ読取書込装置３３０から与えられる「無線タグデータ読取命令」を受信した結果として、メモリ３５１に格納されたデータを含むレスポンスをアンテナヘッド３３１に送信する。このレスポンスは変調復調器３３２を介して復調したデジタル信号として前記中央処理装置３１１に出力される。
【００２４】
さらに、前記中央処理装置３１１が前記デジタル信号をデコードすることで、前記無線タグ３５０に格納されたデータを取得する。
【００２５】
なお、無線タグデータの書き込みを行う場合は、前記中央処理装置３１１が書き込みたいデータを含む「無線タグデータ書込命令」を前記無線タグ読取書込装置３３０を介して前記無線タグ３５０に送信すればよい。
【００２６】
図３は、本発明における前記中央処理装置３１１の内部構成を示すブロック図で、４０１は光学情報読取装置３２０を制御するための光学情報読取装置制御部、４０２は無線タグ読取書込装置３３０を制御するための無線タグ読取書込装置制御部、４０３は入力装置３１２を制御するための入力装置制御部、４０４は出力装置３１３を制御するための出力装置制御部、４０５は記憶装置３１４を制御するための記憶装置制御部、４０６は光学情報読取装置３２０が出力する光学データをデコードするための光学データ処理部、４０７は無線タグ読取書込装置３３０が出力する無線タグデータをデコードするための無線タグデータ処理部、４０８は入力装置制御部４０３から得られる入力信号を判定するための入力信号判定部、４０９は出力装置制御部４０４に出力する情報を作成するための出力情報作成部、４１０は記憶装置３１４に格納さている光学情報の読み取りや無線タグの読み書きを行う順序に関連付けられた識別情報と、光学情報読取装置３２０または無線タグ読取書込装置３３０で読み取った識別情報とを比較して一致するか否かを判定する識別情報判定部、４１１は記憶装置３１４に格納された光学情報の読み取りや無線タグの読み書きを行う順序に従って中央処理装置３１１の各機能である４０１から４１０を制御するための順序情報制御部である。
【００２７】
図４は、本発明における前記記憶装置３１４に記憶される順序情報の記憶領域のイメージを示す概要図で、５１０と５２０と５３０は、光学情報の読み取りや無線タグの読み書きを行う順序情報と対応づけられた固有の識別情報であり、順序情報は、順序情報制御部４１１が処理する順番を示すステップ番号と、ステップで実行する光学情報の読み取りあるいは無線タグの読み書きの設定を格納したものである。
【００２８】
以上のように、本実施の形態によれば、複合型読取書込装置３００を使用する所定の順序からなる一連の作業を開始する前に、バーコード３４０に格納された順序に関する情報を有する識別情報を読み取り、識別情報判定部４１０が、光学データ処理部４０６から取得した識別情報と、記憶装置３１４に格納されている順序情報に関連付けられた識別情報とを比較し、一致する識別情報が記憶装置３１４に格納されていると判定した場合、順序情報制御部４１１が一致した識別情報に関連付けられた順序情報を読み出し、この順序に従って光学情報読取機能や無線タグ読取書込機能を切り替えることにより、ユーザが光学情報の読取と無線タグの読み書きの設定を手動で切り替えることなく、トリガキー２０４のみの押下を繰り返すだけで一連の作業をすすめることができる。
【００２９】
また、識別情報判定部４１０において、記憶装置３１４に予め格納され順序情報に関連付けられた識別情報とを比較し、一致する識別情報が記憶装置３１４に格納されてないと判定した場合、出力装置制御部４０４が、「ガイトウスルジュンジョジョウホウガアリマセン。ジュンジョジョウホウヲツイカシテクダサイ」等のメッセージを液晶ディスプレイ２０８に表示させることで、順序情報の追加作業が必要であることをユーザに報知することができる。
【００３０】
（実施の形態２）
本実施の形態において実施の形態１と同様の箇所については詳細な説明を省略する。
【００３１】
図５は、本発明における前記記憶装置３１４に設ける順序情報および作業情報を記憶する記憶領域のイメージを示す概要図で、実施の形態１と異なるのは、作業情報も記憶装置３１４に記憶し、順序情報に関連付けられた識別情報をこの作業情報にも関連付け、さらに、作業情報を液晶ディスプレイ２０８に表示するようにした点である。
【００３２】
以上のように、本実施の形態によれば、複合型読取書込装置３００を使用する所定の順序からなる一連の作業を開始する前に、バーコード３４０に格納された順序に関連付けられた識別情報を読み取り、前記識別情報判定部４１０が前記光学データ処理部４０６から取得した前記識別情報と、前記記憶装置３１４に格納されている識別情報とを比較し、一致する識別情報が記憶装置３１４に格納されていると判定した場合、順序情報制御部４１１が一致した識別情報を有する順序情報および作業情報を読み出し、この順序に従って光学情報の読取機能や無線タグの読取書込機能を切り替える。
【００３３】
さらに、出力装置制御部４０４が、光学情報を読み取る場合は「バーコードヨミ」、無線タグを読み場合は「タグヨミ」、無線タグを書き込む場合は「タグカキ」のように、作業情報を液晶ディスプレイ２０８に表示することで、所定の順序で作業をすすめるための適切なガイド情報をユーザに提供することができる。
【００３４】
（実施の形態３）
本実施の形態において実施の形態１、２と同様の箇所については詳細な説明を省略する。
【００３５】
実施の形態１、２と異なるのは、前記バーコード３４０と比較して同サイズで数十倍から数百倍のデータサイズを有する前記無線タグ３５０のメモリ３５１に、順序情報とこの順序情報に関連付けられた識別情報とを格納しておく点である。
【００３６】
ここでは、無線タグ１個に識別情報と順序情報が各１つずつ格納され、識別情報および順序情報の存在するメモリアドレスは予め決められているものとする。
【００３７】
以上のように、本実施の形態によれば、複合型読取書込装置３００を使用する所定の順序からなる一連の作業を開始する前に、順序に関する情報を有する識別情報を格納した無線タグ３５０から識別情報を読み取り、識別情報判定部４１０が無線タグデータ処理部４０７から取得した識別情報と、記憶装置３１４に予め格納された順序情報の識別情報とを比較し、一致する識別情報が記憶装置３１４に格納されていると判定した場合、順序情報解読部４１１が一致した識別情報を有する順序情報および作業情報を読み出し、この順序に従って光学情報の読取機能や無線タグの読取書込機能とを切り替える。
【００３８】
さらに、識別情報判定部４１０において、記憶装置３１４に格納された順序情報の識別情報とを比較し、一致する識別情報が記憶装置３１４に格納されてないと判定した場合、無線タグ読取書込制御部４０２が前記無線タグ３５０から順序情報を読み出し、記憶装置制御部４０５が記憶装置３１４に、順序情報とこの順序情報に関連付けられた識別情報とを格納し、この順序に従って光学情報の読取機能や無線タグの読取書込機能とを切り替えるようにすることで、複合型読取書込装置３００のアプリケーションプログラムを変更することなしに作業手順の変更が可能となり、作業者の生産性を向上することができる。
【００３９】
（実施の形態４）
本実施の形態において実施の形態３と同様の箇所については詳細な説明を省略する。
【００４０】
実施の形態３と異なるのは、無線タグ３５０のメモリ３５１に、作業情報も格納し、順序情報に関連付けられた識別番号をこの作業情報にも関連付け、さらに、作業情報を液晶ディスプレイ２０８に表示するようにした点である。
【００４１】
ここでは、無線タグ１個に識別情報と順序情報と作業情報とが各１つずつ格納され、識別情報と順序情報および作業情報の存在するメモリアドレスは予め決められているものとする。
【００４２】
以上のように、本実施の形態によれば、複合型読取書込装置３００を操作して、無線タグ３５０に格納された順序に関連付けられた識別情報を読み取り、識別情報判定部４１０が無線タグデータ処理部４０７から取得した識別情報と、記憶装置３１４に予め格納され順序に関連付けられた識別情報とを比較し、一致する識別情報が無線タグ３５０のメモリ３５１に格納されていると判定した場合、無線タグ読取書込制御部４０２が無線タグ３５０から読み出した作業情報に基づき、記憶装置制御部４０５が記憶装置３１４に格納された識別情報に対応する作業情報を更新することで、複合型読取書込装置３００のアプリケーションプログラムを変更することなしに作業情報の変更が可能となり、ユーザの習熟度レベルや使用言語に対応した作業情報を提示するといった、柔軟なシステムを構築できる。
【００４３】
また、識別情報判定部４１０において、無線タグ読取書込装置３３０で読み取った識別情報を記憶装置３１４に予め格納され順序に関連付けられた識別情報と比較し、一致する識別情報が記憶装置３１４に格納されてないと判定した場合は、実施の形態３と同様の処理を行う。
【００４４】
さらに、本実施の形態によれば、複合型読取書込装置３００を操作して、記憶装置３１４に格納された識別情報の選択を行い、選択した識別情報に対応する順序情報や作業情報を前記無線タグのメモリ３５１に書き込むことができる。
【００４５】
なお、複合型読取書込装置３００を操作することで、識別情報、順序情報、作業情報の選択表示、変更、削除、新規作成ができるようにしてもよい。
【００４６】
（実施の形態５）
本実施の形態において実施の形態１から４と同様の箇所については詳細な説明を省略する。
【００４７】
実施の形態１から４と異なるのは、複合型読取書込装置３００に配置したキー２０３から２０７のいずれかに作業の終了を入力する機能を割り付けた点である。
【００４８】
ここでは、ファンクションキー２０７の一つに作業の終了信号を入力する機能を割り付ける。
【００４９】
以上のように、本実施の形態によれば、入力信号判定部４０８が、作業の終了信号を入力したと判定するまでは、順序制御部４１１が記憶装置３１４から読み出された手順に従って処理を行う。
【００５０】
また、読み出した手順と異なる作業を割り込ませる必要が生じた場合、作業の終了信号を入力することで一連のバッチ処理的な作業を中断するといった使い勝手のよいシステムを構築することができる。
【００５１】
（実施の形態６）
本実施の形態において実施の形態５と同様の箇所については詳細な説明を省略する。
【００５２】
実施の形態５と異なるのは、複合型読取書込装置３００に配置したキー２０３から２０７のいずれかに作業の開始を入力する機能を割り付けた点である。
【００５３】
ここでは、ファンクションキー２０７の一つに作業の開始信号を入力する機能を割り付ける。
【００５４】
以上のように、本実施の形態によれば、入力信号判定部４０８が、作業の開始信号を入力したと判定することにより、実施の形態５で中断した作業を再開するといった使い勝手のよいシステムを構築することができる。
【００５５】
【発明の効果】
以上のように、本発明は複合型読取書込装置において、光学情報の読み取りと無線タグの読み書きの順序とこの手順に関連付けられた識別情報を記憶する記憶手段と、光学情報あるいは無線タグから読み取った識別情報と記憶手段に格納された順序に関連付けられた識別情報とを比較する判定部を有し、一致した識別情報に関連付けられた順序を読み出し、この手順に従って光学情報読取機能と無線による非接触式の読取書込機能とを切り替えることでユーザの誤操作回数を低減でき、作業の生産性を向上できる。
【図面の簡単な説明】
【図１】本発明の複合型読取書込装置の外観図
【図２】本発明の複合型読取書込装置の実施の形態１における概略構成を示すブロック図
【図３】本発明の複合型読取書込装置の実施の形態１における中央処理装置の内部構成を示すブロック図
【図４】本発明の複合型読取書込装置の実施の形態１における順序情報の記憶領域のイメージ図
【図５】本発明の複合型読取書込装置の実施の形態１における順序情報および作業情報の記憶領域のイメージ図
【図６】従来の複合型読取書込装置の概略構成を示すブロック図
【符号の説明】
１００  複合型読取書込装置
１０１  光学情報読取装置
１０２  無線タグ読取書込装置
１０３  制御装置
２０１  ケース
２０２  孔部
２０３  電源キー
２０４  トリガキー
２０５  決定キー
２０６  テンキー
２０７  ファンクションキー
２０８  液晶ディスプレイ
３００  複合型読取書込装置
３１０  制御装置
３１１  中央処理装置
３１２  入力装置
３１３  出力装置
３１４  記憶装置
３２０  光学情報読取装置
３２１  結像部
３２２  撮像素子
３２３  ＡＤ変換器
３３０  無線タグ読取書込装置
３３１  アンテナヘッド
３３２  復調変調器
３４０  バーコード
３５０  無線タグ
３５１  メモリ
３５２  ＣＰＵ
３５３  アンテナ
４００  中央処理装置の内部構成
４０１  光学情報読取装置制御部
４０２  無線タグ読取書込装置制御部
４０３  入力装置制御部
４０４  出力装置制御部
４０５  記憶装置制御部
４０６  光学データ処理部
４０７  無線タグデータ処理部
４０８  入力信号判定部
４０９  出力情報作成部
４１０  識別情報判定部
４１１  順序情報解読部
５１０  識別情報１および識別情報１と対応づけられた順序情報
５２０  識別情報２および識別情報２と対応づけられた順序情報
５３０  識別情報３および識別情報３と対応づけられた順序情報
６１０  識別情報１および識別情報１と対応づけられた順序情報および作業情報
６２０  識別情報２および識別情報２と対応づけられた順序情報および作業情報
６３０  識別情報３および識別情報３と対応づけられた順序情報および作業情報
【図１】
2004246555.tif 000003
【図２】
2004246555.tif 000004
【図３】
2004246555.tif 000005
【図４】
2004246555.tif 000006
【図５】
2004246555.tif 000007
【図６】
2004246555.tif 000008